(57)【要約】【課題】ご飯や汁を入れた椀や調理品を乗せた皿などを並べ入れることができるとともに、段重ねする場合には、このトレーを用いて椀物や皿物などを纏めて覆う状態が得られるようにし、椀物や皿物をラップフィルムで個々に覆う作業を解消する。【解決手段】トレー１のフランジ４に、フランジ合わせの積み重ねをしたときの上位と下位の内の一方のトレー側となる第一の位置合わせ手段１６と、他方のトレー側となって第一の位置合わせ手段１６と係止し合って上下のトレー１のフランジ相互の位置ずれを規制する第二の位置合わせ手段１７とを設け、底板２の下面に、底板合わせの積み重ねをしたときの上位と下位の内の一方のトレー側となる第一の位置合わせ脚１６と、他方のトレー側となって第一の位置合わせ脚１６と係止し合って正置状態の上位のトレー１の底板２と反転状態の下位のトレー１の底板２との相互の位置ずれを規制する第二の位置合わせ脚１７とを設けた。【選択図】図１
2016094244.tif 000002
【特許請求の範囲】
【請求項１】
底板とこの底板の周辺から立ち上げられ外方に向けて傾斜している周壁とこの周壁の上端の位置である開口周縁から外方に向けて張り出しているフランジとからなり、上方から見た形状を略長方形状としているトレーであって、
正置状態の上位のトレーの底板側を正置状態の下位のトレーの内方に位置するようにして複数のトレーを積み重ねる正置状態での積み重ねと、
上位のトレーと下位のトレーとの内、上位のトレーを、トレーの縦方向と横方向とに沿う二方の天地反転回転中心線の内の一方の天地反転回転中心線を中心にしてその天地を反転させて、下位の正置状態のトレーに重ねる積み重ね方であって、前記一方の天地反転回転中心線を中心にしてその天地を反転させて反転状態とされた上位のトレーのフランジと正置状態とされた下位のトレーのフランジとを相対させて、前記反転状態の上位のトレーと前記正置状態の下位のトレーとの間で閉空間を形成するようにして複数のトレーを積み重ねるフランジ合わせの積み重ねと、
正置状態とされた上位のトレーの底板と前記一方の天地反転回転中心線を中心にして天地を反転させた反転状態とされた下位のトレーの底板とを相対させて重ねる底板合わせの積み重ねと
の重ね合わせをすることが可能とされているトレーであって、
前記フランジには、前記フランジ合わせの積み重ねをしたときの上位と下位の内の一方のトレー側となる第一の位置合わせ手段と、他方のトレー側となって前記第一の位置合わせ手段と係止し合って前記上位と下位のトレーのフランジ相互の位置ずれを規制する第二の位置合わせ手段とが設けられていて、
前記第一の位置合わせ手段と前記第二の位置合わせ手段とは、トレー上面の中央を通る中心線であり前記一方の天地反転回転中心線と平行であるトレー上面中心線を中心にして、線対称となる位置に配置され、
前記底板の下面には、前記底板合わせの積み重ねをしたときの上位と下位の内の一方のトレー側となる第一の位置合わせ脚と、他方のトレー側となって前記第一の位置合わせ脚と係止し合って前記正置状態の上位のトレーの底板と前記反転状態の下位のトレーの底板との相互の位置ずれを規制する第二の位置合わせ脚とが設けられていて、
前記第一の位置合わせ脚と前記第二の位置合わせ脚とは、底板下面の中央を通る中心線であり前記一方の天地反転回転中心線と平行である第一のトレー底面中心線を中心にして、線対称となる位置に配置されている
ことを特徴とするトレー。
【請求項２】
上記フランジの四方の辺部の内、上記一方の天地反転回転中心線に沿った方向に対応する辺部それぞれに、上記第一の位置合わせ手段と第二の位置合わせ手段とが設けられていて、
前記第一の位置合わせ手段は、フランジ面から上方に凸のボスからなるものであり、
前記第二の位置合わせ手段は、前記ボスからなる第一の位置合わせ手段が上記フランジ合わせの積み重ねを行なったときに挿入可能となるようにフランジを貫通している貫通孔からなるものとされ、
前記一方の天地反転回転中心線に沿った方向に対応する辺部の内の一方の辺部に設けられている前記第一の位置合わせ手段と他方の辺部に設けられている第一の位置合わせ手段とは、上記トレー上面中心線に直交する方向である第二のトレー上面中心線を中心にして、線対称となる位置に配置されているとともに、
前記一方の天地反転回転中心線に沿った方向に対応する辺部の内の一方の辺部に設けられている前記第二の位置合わせ手段と他方の辺部に設けられている第二の位置合わせ手段とは、前記第二のトレー上面中心線を中心にして、線対称となる位置に配置され、
上記正置状態での積み重ねをするときに、正置状態の下位のトレーの上に、トレー中央を上下方向に通るトレー上下中心線を中心にして１８０度の平面回転をした正置状態の上位のトレーを重ねて、下位のトレーの前記ボスからなる第一の位置合わせ手段が上位のトレーの前記貫通孔からなる第二の位置合わせ手段に挿入され、正置状態での積み重ねで上下に相対するフランジの位置ずれを規制する構成を備えている請求項１に記載のトレー。
【発明の詳細な説明】
【技術分野】
【０００１】
本発明は、厨房用具として利用されるトレーに関するものである。
【背景技術】
【０００２】
学生食堂や社員食堂においては、食事をする人々がカウンタに沿って移動しながら、それぞれがそのカウンタ越しに並べられているご飯や汁などの椀物や突出しやおかずを盛った皿物を取るようにしている。このように食事をする側の人々が椀物、調理品を配した皿物などを順次取るようにしていることから、給食業務の作業をする側では事前に椀物、皿物をある程度の数量を用意するとともに、まとまった数量ごとに追加することが効率的なものとなっている。
【０００３】
そして、数多くの椀物や皿物を並べるに際し、椀物であれば同一の食材の椀物をまとめ、また調理品が同じであれば同一の調理品の皿物をまとめており、特に椀物にあってはこれをトレーに入れて並べ、さらにそのトレーとともに段重ねして提供するようにしている。
【０００４】
このような用途に用いられるトレーは事務用途のものとは異なってトレー上面の開口部が広く、厨房内での配膳盆の役割をなすものである。そして、例えば特許文献１に示されているように、底板の周辺から周壁が立ち上げられ外方に向けて傾斜し、この周壁の上端の位置である開口周縁から外方に向けてフランジが張り出していて、上方から見た形状を略長方形状とする比較的シンプルな形状のものであり、一般的にスタッキングできるものが多く利用されている。
【先行技術文献】
【特許文献】
【０００５】
【特許文献１】特開２００１−１６３３３７号公報
【発明の概要】
【発明が解決しようとする課題】
【０００６】
上述したようにご飯や汁を盛った椀物をトレーに並べ置いて、これを段重ねする場合、同じトレーを椀物の上に乗せたことによって異物が椀に入り込むのを防いだり、保温を図るなどの目的で、椀ごとにラップフィルムを被せている。しかしながら、椀物それぞれをラップフィルムで覆うことが非常に煩雑な作業であって、作業の軽減化が望まれているとともに、椀物の提供時にはぎ取るラップフィルムが多量のごみとなってしまうという問題があり、同様にこの解決が望まれている。
【０００７】
そこで本発明は上記事情に鑑み、従来のトレーのようにご飯や汁を入れた椀や調理品を乗せた皿などを並べ入れることができるとともに、段重ねする場合には、このトレーを用いて椀物や皿物などをまとめて覆う状態が得られるようにすることを課題とし、椀物や皿物をラップフィルムで個々に覆う作業を解消することを目的とするものである。
【課題を解決するための手段】
【０００８】
（請求項１の発明）
本発明は上記課題を考慮してなされたもので、底板とこの底板の周辺から立ち上げられ外方に向けて傾斜している周壁とこの周壁の上端の位置である開口周縁から外方に向けて張り出しているフランジとからなり、上方から見た形状を略長方形状としているトレーであって、
正置状態の上位のトレーの底板側を正置状態の下位のトレーの内方に位置するようにして複数のトレーを積み重ねる正置状態での積み重ねと、
上位のトレーと下位のトレーとの内、上位のトレーを、トレーの縦方向と横方向とに沿う二方の天地反転回転中心線の内の一方の天地反転回転中心線を中心にしてその天地を反転させて、下位の正置状態のトレーに重ねる積み重ね方であって、前記一方の天地反転回転中心線を中心にしてその天地を反転させて反転状態とされた上位のトレーのフランジと正置状態とされた下位のトレーのフランジとを相対させて、前記反転状態の上位のトレーと前記正置状態の下位のトレーとの間で閉空間を形成するようにして複数のトレーを積み重ねるフランジ合わせの積み重ねと、
正置状態とされた上位のトレーの底板と前記一方の天地反転回転中心線を中心にして天地を反転させた反転状態とされた下位のトレーの底板とを相対させて重ねる底板合わせの積み重ねと
の重ね合わせをすることが可能とされているトレーであって、
前記フランジには、前記フランジ合わせの積み重ねをしたときの上位と下位の内の一方のトレー側となる第一の位置合わせ手段と、他方のトレー側となって前記第一の位置合わせ手段と係止し合って前記上位と下位のトレーのフランジ相互の位置ずれを規制する第二の位置合わせ手段とが設けられていて、
前記第一の位置合わせ手段と前記第二の位置合わせ手段とは、トレー上面の中央を通る中心線であり前記一方の天地反転回転中心線と平行であるトレー上面中心線を中心にして、線対称となる位置に配置され、
前記底板の下面には、前記底板合わせの積み重ねをしたときの上位と下位の内の一方のトレー側となる第一の位置合わせ脚と、他方のトレー側となって前記第一の位置合わせ脚と係止し合って前記正置状態の上位のトレーの底板と前記反転状態の下位のトレーの底板との相互の位置ずれを規制する第二の位置合わせ脚とが設けられていて、
前記第一の位置合わせ脚と前記第二の位置合わせ脚とは、底板下面の中央を通る中心線であり前記一方の天地反転回転中心線と平行である第一のトレー底面中心線を中心にして、線対称となる位置に配置されている
ことを特徴とするトレーを提供し、上記課題を解消するものである。
【０００９】
（請求項２の発明）
そして、本発明において、上記フランジの四方の辺部の内、上記一方の天地反転回転中心線に沿った方向に対応する辺部それぞれに、上記第一の位置合わせ手段と第二の位置合わせ手段とが設けられていて、
前記第一の位置合わせ手段は、フランジ面から上方に凸のボスからなるものであり、
前記第二の位置合わせ手段は、前記ボスからなる第一の位置合わせ手段が上記フランジ合わせの積み重ねを行なったときに挿入可能となるようにフランジを貫通している貫通孔からなるものとされ、
前記一方の天地反転回転中心線に沿った方向に対応する辺部の内の一方の辺部に設けられている前記第一の位置合わせ手段と他方の辺部に設けられている第一の位置合わせ手段とは、上記トレー上面中心線に直交する方向である第二のトレー上面中心線を中心にして、線対称となる位置に配置されているとともに、
前記一方の天地反転回転中心線に沿った方向に対応する辺部の内の一方の辺部に設けられている前記第二の位置合わせ手段と他方の辺部に設けられている第二の位置合わせ手段とは、前記第二のトレー上面中心線を中心にして、線対称となる位置に配置され、
上記正置状態での積み重ねをするときに、正置状態の下位のトレーの上に、トレー中央を上下方向に通るトレー上下中心線を中心にして１８０度の平面回転をした正置状態の上位のトレーを重ねて、下位のトレーの前記ボスからなる第一の位置合わせ手段が上位のトレーの前記貫通孔からなる第二の位置合わせ手段に挿入され、正置状態での積み重ねで上下に相対するフランジの位置ずれを規制する構成を備えているものとすることが可能である。
【発明の効果】
【００１０】
本発明によれば、上位のトレーと下位のトレーとでその間に閉空間を形成し、上位のトレーと下位のトレーとのフランジが相対するようにして積み重ねた時に、そのフランジ同士が位置ずれしないように規制する第一の位置合わせ手段と第二の位置合わせ手段とがあり、この第一の位置合わせ手段と第二の位置合わせ手段を一つのトレー自体に備えるようにしているので、トレーの内側に上述した椀物や調理品を乗せた皿物を入れ、天地反転した状態のもう一つのトレーを重ね合わせることで、二つのトレーの間で形成される閉空間の中に椀物や皿物を配するととなり、椀内や皿の上に異物が入り込むのを防止できる。
【００１１】
また、トレー自体に第一の位置合わせ脚と第二の位置合わせ脚とを備えていて、正置状態とされた上位のトレーの底板と天地を反転させて反転状態とされた下位のトレーの底板とが相対するように積み重ねた時に、その底板同士が位置ずれしないように前記第一の位置合わせ脚と第二の位置合わせ脚とが係止し合うようになり、底板同士を合わせた正置状態の上位のトレーと反転状態の下位のトレーとの重ね合わせが安定したものとなる。
【図面の簡単な説明】
【００１２】
【図１】第一実施例をトレー上面を上方にした斜視状態で示す説明図である。
【図２】第一実施例をトレー底板を上方にした斜視状態で示す説明図である。
【図３】第一実施例の平面を示す説明図である。
【図４】第一実施例の長寸方向での断面を図３の断面線に沿った位置で示す説明図である。
【図５】第一実施例の短寸方向での断面を示す説明図である。
【図６】第一実施例においてフランジ合わせの積み重ねを行なったときの位置合わせ手段と位置合わせ脚との配置を概略的に示す説明図である。
【図７】第一実施例においてフランジ合わせの積み重ねと底板合わせの積み重ねを図６の断面線に沿った位置での断面で示す説明図である。
【図８】第一実施例において正置状態の積み重ねを断面で示す説明図である。
【図９】第二実施例の平面を示す説明図である。
【図１０】第二実施例の長寸方向での断面を示す説明図である。
【図１１】第二実施例の短寸方向での断面を示す説明図である。
【図１２】第二実施例の隅部を断面で示すもので、（ａ）は第一の位置合わせ手段を断面で示す説明図、（ｂ）は第二の位置合わせ手段を断面で示す説明図である。
【図１３】第二実施例においてのフランジ合わせの積み重ねを断面で示す説明図である。
【図１４】第三実施例の平面を示す説明図である。
【図１５】第三実施例の長寸方向での断面を示す説明図である。
【図１６】第三実施例の短寸方向での断面を示す説明図である。
【図１７】第四実施例の平面を示す説明図である。
【図１８】第四実施例の長寸方向での断面を示す説明図である。
【図１９】第四実施例の短寸方向での断面を示す説明図である。
【発明を実施するための形態】
【００１３】
つぎに本発明を図示の実施の例に基づいて詳細に説明する。図中１はトレーで、該トレー１は図１に示すように上方から見た平面形状を略長方形状としているものであり、これを得るための素材は限定されないが、例えば合成樹脂にて成形することができる。そして、前記トレー１は底板２と、この底板２の周辺から立ち上げられて外方に向けて傾斜している周壁３と、この周壁３の上端から外方に向けて張り出るフランジ４とからなるものである。
【００１４】
トレー１におけるフランジ４は周壁３の上端の位置である開口周縁に沿って設けられている。トレー１の前記開口周縁を含むトレー上面５は底板２と平行であって、その開口周縁に連続するフランジ４のトレー縦方向の部分やトレー横方向の部分、さらに隅部の湾曲の部分のいずれのフランジ上面６も底板２と平行とされている。このトレー１では積み重ね方が複数得られるものであり、以下のその積み重ね方を説明する。
【００１５】
（正置状態での積み重ねＡ）
トレー１では、複数のトレーの積み重ね方として、トレー上面５を上にして正置状態とした上位のトレー１の底板側が同じく正置状態とした下位のトレー１の内方に位置するようにして、複数のトレー１を積み重ねる正置状態での積み重ねＡができるものである。この正置状態での積み重ね（Ａ）は通常のトレーにおけるスタッキング形態と同様である。なお、正置状態での積み重ね（Ａ）では上位のトレー１のフランジ４の下面が下位のトレー１のフランジ上面６に乗って、この下位のトレー１のフランジ４が上位のトレー１を支持する。
【００１６】
（フランジ合わせの積み重ねＢ）
本発明では上記正置状態での積み重ね（Ａ）以外の積み重ねが可能なものである。このトレー１での他の積み重ね方として、上位のトレー１と下位のトレー１との間に閉空間１０を形成するようにするフランジ合わせの積み重ね（Ｂ）がある。この場合、上位のトレー１と下位のトレー１との内、上位のトレー１の天地を反転させるものであり、そのトレー１の縦方向と横方向とに沿って直交する二方の中心線であって、トレー中心７を通る天地反転回転中心線８、９の内、一方の天地反転回転中心線８を中心にしてその天地を反転させる。そして、反転状態とされた上位のトレー１のフランジ４と、正置状態とされた下位のトレー１のフランジ４とを相対させて重ね合わせる。
【００１７】
これによって、反転状態の上位のトレー１と正置状態の下位のトレー１との間で閉空間１０を形成されるものであり、例えば、調理品を入れるなどした椀ａを下位のトレー１の内方に並べ置き、この下位のトレー１の上方に反転状態のトレー１を相互のフランジ４を相対させながら積み重ねることで、並べ置いた複数の椀ａへの異物の入り込みを防止できる。
【００１８】
（底板合わせの積み重ねＣ）
また、他の積み重ね方として上記フランジ合わせの積み重ね（Ｂ）をしている上位側のトレー１の上に、正置状態のトレー１を重ね置く底板合わせの積み重ね（Ｃ）がある。この底板合わせの積み重ね（Ｃ）は、上記フランジ合わせの積み重ね（Ｂ）での反転状態とされるトレー１を下位とし、この反転状態のトレー１での上方に向いている底板２と、さらにその上に置く正置状態とされたトレー１の底板２とが相対するようにして重ねる積み重ね方である。
【００１９】
そして、底板合わせの積み重ね（Ｃ）を行なった正置状態のトレー１に上述のフランジ合わせの積み重ね（Ｂ）を行なうようにすることで再び閉空間１０を形成する積み重ねとなる。勿論、反転状態とされた上位のトレー１と正置状態とされて下位のトレー１とで閉空間１０を形成し、その内側に椀などを配した状態で上下のトレーを一つのトレー組とし、この状態の複数のトレー組を上記底合わせの積み重ね（Ｃ）にて積み重ねるようにすることも可能である。
【００２０】
（第一実施例）
本発明では、上述した積み重ねを行なったときに相対する部分において相互に位置ずれをすることを規制して、積み重ねの状態を安定させる工夫が施されている。図１から図７は第一実施例を示している。なお、トレー１において積み重ねを行なうときに天地を反転したり、また平面で回転させたりするものであり、その説明を容易にするために、図１に示すように上記一方の天地反転回転中心線８、他方の天地反転回転中心線９を図示するとともに、天地反転回転中心線８、９の交点である部分を上下方向（トレー高さ方向）に通る中心線であって、トレー１を平面で回転させるときの回転中心となるトレー回転中心線１１が示されている。
【００２１】
さらに、トレー上面５での中央を通って互いに直交する二方の中心線が示されていて、一方を上記天地反転回転中心線８と平行となる第一のトレー上面中心線１２として示し、他方を上記第二のトレー上面中心線１３として示している。この第二のトレー上面中心線１３自体は結果としては上記天地反転回転中心線９と平行となる。
【００２２】
また、底板２の下面の中央を取って互いに直交する二方の中心線も示されていて、一方を上記天地反転回転中心軸８と平行となる第一のトレー底面中心線１４、他方を第二のトレー底面中心線１５として示している。この第二のトレー底面中心線１５も上記天地反転回転中心線９と平行となる。
【００２３】
（位置合わせ手段）
この第一実施例のトレー１におけるフランジ４には、例えば図３と図４に示すようにフランジ上面６から上方に凸となっているボスからなる第一の位置合わせ手段１６と、フランジ４を上下に貫通する貫通孔からなる第二の位置合わせ手段１７とが設けられていて、このボスとされた第一の位置合わせ手段１６と貫通孔からなる第二の位置合わせ手段１７とは、トレー上面５の中央を通る中心線であって、トレー１を天地反転する際の一方の天地反転回転中心線８と平行な第一のトレー上面中心線１２を中心にして、線対称となる位置に配置されている。
【００２４】
さらに、上記第一の位置合わせ手段１６と第二の位置合わせ手段１７とは、図３に示すように一方の天地反転回転中心線８（第一のトレー上面中心線１２）に沿った方向で相対するフランジ４の直線状の辺部それぞれに設けられている。そして、対向する前記辺部の内の一方の辺部（直線状の部分）に設けられている第一の位置合わせ手段１６（ボス）と、他方の辺部（直線状の部分）に設けられている第一の位置合わせ手段１６（ボス）とは、第一のトレー上面中心線１２に直交する方向の第二のトレー上面中心線１３を中心にして、線対称となる位置に配置されている。また、前記一方の辺部に設けられている第二の位置合わせ手段１７（貫通孔）と、前記他方の辺部に設けられている第二の位置合わせ手段１７（貫通孔）との関係においても、前記第二のトレー上面中心線１３を中心にして、線対称となる位置に配置されている。
【００２５】
（第一実施例−積み重ねＢ）
このように第一実施例のトレー１において、フランジ４の第一のトレー上面中心線１２の方向で相対する辺部それぞれで、その第一のトレー上面中心線１２を中心にして第一の位置合わせ手段１６と第二の位置合わせ手段１７とが線対称の位置にあることから、一方の天地反転回転中心線８で天地を反転させる上記フランジ合わせの積み重ね（Ｂ）を行なった場合、反転状態の上位のトレー１における第一の位置合わせ手段１６は、正置状態である下位のトレー１における第二の位置合わせ手段１７に相対し、また、反転状態の上位のトレー１における第二の位置合わせ手段１７は、正置状態である下位のトレー１における第一の位置合わせ手段１６に相対して、図６と図７に示すように第一の位置合わせ手段１６であるボスが第二の位置合わせ手段１７である貫通孔に入る形となって係止し合うこととなり、上位のフランジ４下位のフランジ４とが相互に位置ずれすることがなく、上下二つのトレーにて閉空間１０を形成する安定した積み重ね状態が簡単に得られる。
【００２６】
（第一実施例−積み重ねＡ）
さらに、この第一実施例のトレー１では、第一の位置合わせ手段１６が第二のトレー上面中心線１３を中心にして線対称の位置となり、第二の位置合わせ手段１７が同様に第二のトレー上面中心線１３を中心にして線対称の位置にあるので、正置状態の積み重ね（Ａ）を行なう場合に際し、上下のトレー１が平面視状態で縦横方向が揃い、第一の位置合わせ手段１６の上下位置が同じであったときには（もちろん、このときには第二の位置合わせ手段１７での上下位置も同じ）、正置状態の上位のトレー１を上記トレー回転中心線１１を中心にして平面で１８０度回転させれば、上位のトレーと下位のトレーとの間で第一の位置合わせ手段１６と第二の位置合わせ手段１７とが相対することとなり、その状態で上位のトレー１を下位のトレー１に重ね合わせるようにすれば、この正置状態の積み重ね（Ａ）にて第一の位置合わせ手段１６と第二の位置合わせ手段１７とが係止し合って、重ね合わせがより安定したものとすることができる。（図８参照）
【００２７】
（位置合わせ脚）
トレー１の底板２の下面には四隅それぞれにトレー高さ方向において下方に凸の脚が設けられている。この脚は、上記底板合わせの積み重ね（Ｃ）をしたときの上位と下位の内、一方のトレー１側となる第一の位置合わせ脚１８と、他方のトレー１側となって前記第一の位置合わせ脚１８と係止し合って正置状態の上位のトレー１の底板２と反転状態の下位のトレー１の底板２との相互の位置ずれを規制する第二の位置合わせ脚１９とからなるものである。
【００２８】
この第一実施例において、第一の位置合わせ脚１８は、図３に示されているように平面形状を略弧とした凸条を間隔を置いた二条にしてなるものであり、また、第二の位置合わせ脚１９にあっては同じく平面形状を略弧とした凸条を一条にしてなるものであり、後述するように第一の位置合わせ脚１８と第二の位置合わせ脚１９とが相対した場合に、第一の位置合わせ脚１８における二条とされている間の部分に、第二の位置合わせ脚１９の一条の弧形状の部分が入り込んで、第一の位置合わせ脚１８と第二の位置合わせ脚１９とが係止し合い、上述のごとく上下の底板２同士が位置ずれしないようにしている。
【００２９】
図３に示すように、第一の位置合わせ脚１８と第二の位置合わせ脚１９とは、底板下面の中央を通る中心線であって上記一方の天地反転回転中心線８と平行である第一のトレー底面中心線１４を中心にして、線対称となる位置に配置されているとともに、第二のトレー底面中心線１５（第一のトレー底面中心線１４に直交する中心線）を中心にして、線対称となる位置に配置されている。
【００３０】
（第一実施例−積み重ねＣ）
このようにトレー１の底板２の下面において、第一の位置合わせ脚１８と第二の位置合わせ脚１９とは、底板下面の中央を通る中心線であって上記一方の天地反転回転中心線８と平行である第一のトレー底面中心線１４を中心にして、線対称となる位置に配置されていることから、上記フランジ合わせの積み重ね（Ｂ）にて、一方の天地反転回転中心線８にて天地を反転させた反転状態で底板２を上にしているトレー１を下位のトレー１とし、図７に示すごとくその上に正置状態のトレー１の底板２を対応させて乗せるようにすれば（もちろん、下位のトレーとこれに乗せるトレーとの平面視での縦横方向を揃える）、上位と下位の位置関係で一方のトレーの底板側となる第一の位置合わせ脚１８と他方のトレーの底板側となる第二の位置合わせ脚１９とが係止し合うこととなり（図６）、上下で相対し合う底板２が相互に位置ずれすることの無い安定した底板合わせの積み重ね（Ｃ）が得られる。なお、図６では、相対する第一の位置合わせ脚１８と第二の位置合わせ脚１９とを破線で表現している。
【００３１】
図７に示されているようにフランジ合わせの積み重ね（Ｂ）と底板合わせの積み重ね（Ｃ）とを交互に繰り返す形で複数のトレー１が積み重ねられるようにすれば、複数の閉空間１０が段にして形成されることとなり、これらの空間それぞれにご飯、汁を入れた椀、調理品を乗せた皿などが入る形でトレーを積み重ねることで、椀や皿に入れた食品を保護しながらこれらを段重ね状態にすることができる。この場合、フランジ合わせの積み重ね（Ｂ）を行なう時点で、上下のトレーのフランジ相互が密に接し合うこととなり、閉空間１０が温度を保つ空間の役割を果たすようにもなる。
【００３２】
（第二実施例）
上記第一実施例では、正置状態の積み重ね（Ａ）において上位と下位のトレー１の内、一方のトレー１をトレー回転中心線１１を中心にして１８０度回転させて重ね合わせるようにしているが、本発明はこの例に限定されるものではなく、回転させずに正置状態で重ね合わせる構成とすることも可能である。その例を以下に説明する。図９から図１３は第二実施例を示している。なお、この第二実施例ではトレー１の縦方向（短寸方向）に一方の天地反転回転中心線８が通っているものである。
【００３３】
第二実施例においては図９に示されているようにフランジ４の四隅の湾曲の部分に第一の位置合わせ手段１６と第二の位置合わせ手段１７とが設けられていて、第一の位置合わせ手段１６にあっては湾曲部の外縁に沿って上方に凸の凸条からなるものとされており、第二の位置合わせ手段１７にあっては、上述のようにフランジ合わせの積み重ね（Ｂ）をしたときに前記第一の位置合わせ手段１６を受けて係止し合うことができるようにした段落としされた凹部として形成されており、湾曲部の外縁に沿って位置している。
【００３４】
この第二実施例においても第一のトレー上面中心線１２を中心にして、第一の位置合わせ手段１６（凸条）と第二の位置合わせ手段１７（凹部）とが線対称となる位置に設けられているとともに、第二のトレー上面中心線１３を中心にしても、前記第一の位置合わせ手段１６と第二の位置合わせ手段１７とが線対称となる位置に設けられている。
【００３５】
（第二実施例−積み重ねＢ）
これによって上記フランジ合わせの積み重ね（Ｂ）を行なう場合でも、上位のトレー１を一方の天地反転回転中心線８を中心にして天地を反転させれば、反転状態とされた上位のトレー１の第一の位置合わせ手段１６が正置状態の下位のトレー１の第二の位置合わせ手段１７に相対することとなり、また逆に上位のトレー１の第二の位置合わせ手段１７が下位のトレー１の第一の位置合わせ手段１６に相対し、上下のトレー１を重ね合わせることで第一の位置合わせ手段１６と第二の位置合わせ手段１７とが係止し合って（図１３）、上下のフランジ４の位置ずれを規制する。
【００３６】
（第二実施例−積み重ねＡ）
この第二実施例での上記第一の位置合わせ手段１６が設けられているフランジ４の湾曲部分では、図１２に示すようにフランジ下面が、第一の位置合わせ手段１６の位置と対応する領域の範囲にして凹部２０が設けられており、正置状態の積み重ね（Ａ）の重ね合わせをしたときに下位のトレーにおける第一の位置合わせ手段１６（凸条）が上位のトレーの前記凹部２０に入り込んで、上下のフランジ４が重ね合わされるようにしている。このため、第二実施例におけるこのトレー１にあっては正置状態の積み重ね（Ａ）を行なう場合には、一方のトレーを平面で１８０度回転させる必要はない。
【００３７】
（第二実施例−積み重ねＣ）
第二実施例での底板２の下面には、上記第一実施例の場合と同様に四隅に第一の位置合わせ脚１８と第二の位置合わせ脚１９とが設けられていて、図９に示すように第一のトレー底面中心線１４を中心にして線対称となる位置に設けられているとともに、第二のトレー底面中心線１５を中心にしても線対称となる位置に第一の位置合わせ脚１８と第二の位置合わせ脚１９が設けられている。
【００３８】
底板合わせの積み重ね（Ｃ）を行なうときに上下のトレーの内の一方のトレー側となる第一の位置合わせ脚１８と他方のトレー側となる第二の位置わせ脚１９とが係止し合うようにするため、第一の位置合わせ脚１８は弧の凸条とされているとともに、第二の位置合わせ脚１９にあっては、前記第一の位置合わせ脚１８の内側（トレー中心側）に沿う弧状の凸条とされている。
【００３９】
（第三実施例）
（積み重ねＢ）
図１４から図１６は第三実施例を示している。第三実施例に示すように上記第一のトレー上面中心線１２を中心して線対称の配置とされる位置合わせ手段の内、一方の第一の位置合わせ手段１６にあってはフランジ４の縦方向の直線の部分に沿った直線状の凸条とするとともに、他方である第二の位置合わせ手段１７を上記フランジ合わせの積み重ね（Ｂ）をするときに前記第一の位置合わせ手段１６である直線状の凸条を受けて、重ね合わされる上下のフランジ４が位置ずれすることなしに位置合わせされるようにするための凹溝とすることが可能である。
【００４０】
（積み重ねＡ）
そして、この第三実施例においては、上記正置状態の積み重ね（Ａ）を行なえるようにするために、上記第一の位置合わせ手段１６に対応するフランジ４の下面にその第一の位置合わせ手段１６を受けることのできる領域にして凹溝（上方に向けて凸の凹み）からなる凹部２０が設けられている。
【００４１】
（積み重ねＣ）
底板２の下面における脚については、第一のトレー底面中心線１４を中心にして線対称となる位置合わせ脚の内、一方の第一の位置合わせ脚１８を円環状の凸部とし、他方である第二の位置合わせ脚１９を、底板合わせの積み重ね（Ｃ）を行なうときに円環状とされた前記第一の位置合わせ脚１８の中央の凹みに入り込む円形の凸部としているものである。このように第一の位置合わせ脚１８を中央に凹みのある円環状の凸部とし、第二の位置合わせ脚１９を第一の位置合わせ脚１８の中央の凹みに入る円形の凸部とすることによっても、底板合わせの積み重ね（Ｃ）の重ね合わせをした際の上下の底板４が相互に位置ずれをするのを確実に防止することができる。
【００４２】
（第四実施例）
（積み重ねＢ）
図１７から図１９は第四実施例を示している。この第四実施例において、第一のトレー上面中心線１２を中心にして線対称となる位置合わせ手段の内、一方の第一の位置合わせ手段１６は、トレー縦方向に沿うフランジ４の直線部分（短寸方向の辺部）に、フランジ上面６の外縁と内縁とに沿う四つの凸部１６ａを設け、さらにその外縁に沿う凸部１６ａと内縁に沿う凸部１６ａをトレー縦方向に交互にして配置していて、それぞれの凸部１６ａの第二のトレー上面中心線１３の方向となる側方それぞれに、この凸部１６ａに対して段下がりしたフランジ上面６からなる段落ち面１６ｂを並設している。
【００４３】
また、他方である第二の位置合わせ手段１７にあっても、上記凸部１６ａの配列パターンと同じにしてフランジ上面６の外縁と内縁とに沿う四つの凸部１７ａを設けて、その外縁に沿う凸部１７ａと内縁に沿う凸部１７ａをトレー縦方向に交互にして配置し、それぞれの凸部１７ａの第二のトレー上面中心線１３の方向となる側方それぞれに、凸部１７ａに対して段下がりしたフランジ上面６からなる段落ち面１７ｂを並設している。
【００４４】
上記第一の位置合わせ手段１６での凸部１６ａと第二の位置合わせ手段１７での段落ち面１７ｂ、さらに第一の位置合わせ手段１６での段落ち面１６ｂと第二の位置合わせ手段１７での凸部１７ａとは、第一のトレー上面中心線１２を中心にして線対称となる位置に設けられているものとしており、上記フランジ合わせの積み重ね（Ｂ）を行なうときに、上位のトレーと下位のトレーとの間で凸部１６ａに段落ち面１７ｂが相対し、同じように凸部１７ａに段落ち面１６ｂが相対して、重ね合わせのフランジ４が相互に位置ずれすることのないように設けられている。
【００４５】
（積み重ねＣ）
第四実施例の底板４の下面での上記第一のトレー底面中心線１４を中心にして線対称となる位置合わせ脚の内、一方の第一の位置合わせ脚１８と第二の位置合わせ脚１９において、第一の位置合わせ脚１８を略十字形状の凸部として形成され、他方である第二の位置合わせ脚１９では四つの円形の凸部を間隔を置いて縦横二個ずつとなる四点配置にし、その四点の凸部の間に前記第一の位置合わせ脚１８が入り込むようにした対応関係が形成されており、底板合わせの積み重ね（Ｃ）を行なったときに、第一の位置合わせ脚１８の十字状の凸部とこの十字状の凸部が第二の位置合わせ脚１９における凸部間に入って互いに係止し合い、上下で相対する底板２が相互に位置ずれすることのないように設けられている。
【００４６】
（積み重ねＡ）
第四実施例でのトレー１では正置状態の積み重ね（Ａ）はトレーの縦横方向を揃えるだけでよく、下位のトレーでの上記第一の位置合わせ手段１６と第二の位置合わせ手段１７とがそれぞれ上位のトレーのフランジ下面を受ける形で重ね合わせが行なえるものである。
【００４７】
本発明のトレーでの深さ（トレー上面から底板までの深さ）は図示の例に限定されるものではなく、また厨房用収納バットや深みのある収納用コンテナと称されるものも本発明のトレーの範疇に含まれるものである。
【００４８】
第二のトレー上面中心線１３と第二のトレー底面中心線１５は図４、図１１、図１６、図１９において図面上、前後方向にあり、第一のトレー上面中心線１２と第一のトレー底面中心線１４は図５、図１０、図１５、図１８において、図面上、前後方向にあって、その位置を図示している。
【符号の説明】
【００４９】
１…トレー
２…底板
４…フランジ
５…トレー上面
６…フランジ上面
７…トレー中心
８…一方の天地反転回転中心線
９…他方の天地反転回転中心線
１０…閉空間
１１…トレー回転中心線
１２…第一のトレー上面中心線（図５において図面前後方向）
１３…第二のトレー上面中心線（図４において図面前後方向）
１４…第一のトレー底面中心線（図５において図面前後方向）
１５…第二のトレー底面中心線（図４において図面前後方向）
１６…第一の位置合わせ手段
１６ａ…凸部
１６ｂ…段落ち面
１７…第二の位置合わせ手段
１７ａ…凸部
１７ｂ…段落ち面
１８…第一の位置合わせ脚
１９…第二の位置合わせ脚
２０…凹部
ａ…椀
【図１】
2016094244.tif 000003
【図２】
2016094244.tif 000004
【図３】
2016094244.tif 000005
【図４】
2016094244.tif 000006
【図５】
2016094244.tif 000007
【図６】
2016094244.tif 000008
【図７】
2016094244.tif 000009
【図８】
2016094244.tif 000010
【図９】
2016094244.tif 000011
【図１０】
2016094244.tif 000012
【図１１】
2016094244.tif 000013
【図１２】
2016094244.tif 000014
【図１３】
2016094244.tif 000015
【図１４】
2016094244.tif 000016
【図１５】
2016094244.tif 000017
【図１６】
2016094244.tif 000018
【図１７】
2016094244.tif 000019
【図１８】
2016094244.tif 000020
【図１９】
2016094244.tif 000021